(57)【要約】マーカー液吸収体、マーカー液リザーバ、およびリザーバと吸収体を流体結合する送り管を含む本体と、吸収体から本体の外側へ延びるマーキング芯とを含むマーカー。【選択図】２ａ
2017505247.tif 000002
【特許請求の範囲】
【請求項１】
マーカー液吸収体、マーカー液リザーバ、および前記リザーバと前記吸収体を流体結合する送り管を含む本体と、
前記吸収体から前記本体の外側へ延びるマーキング芯と
を含むマーカー。
【請求項２】
前記送り管が前記送り管に沿って複数の孔を含む、請求項１に記載のマーカー。
【請求項３】
マーカー液吸収体、マーカー液リザーバ、前記吸収体から前記リザーバへ延びる通気チューブを含む本体と、
前記吸収体から前記本体の外側へ延びるマーキング芯と
を含むマーカー。
【請求項４】
前記吸収体および前記リザーバの間のチューブホルダーであって、前記チューブホルダーの中を通って前記リザーバから前記吸収体まで延びる孔を有するチューブホルダーと、前記チューブホルダーの孔から前記リザーバ内に吊り下げられた通気チューブと
をさらに含む、請求項２に記載のマーカー。
【請求項５】
マーカー液吸収体、前記吸収体と流体結合されたマーカー液リザーバ、および前記リザーバと流体結合されたリフィル機構を含む本体と、
前記吸収体から前記本体の外側へ延びるマーキング芯と
を含むマーカー。
【請求項６】
前記マーキング芯および前記本体の間に、前記本体および前記本体の外側の間を空気が通過できるようにする溝がある、請求項１〜５のいずれか一項に記載のマーカー。
【請求項７】
前記リザーバと前記吸収体を流体結合する送り管をさらに含む、請求項２に記載のマーカー。
【請求項８】
前記送り管が前記送り管に沿って複数の孔を含む、請求項７に記載のマーカー。
【請求項９】
前記マーカー液リザーバの詰め替えを可能にするリフィル機構であって、前記リフィル機構を介して前記マーカーを漏出なくきれいに詰め替えられるように構成された吸い取り紙を含むリフィル機構をさらに含む、請求項１〜５または７〜８のいずれか一項に記載のマーカー。
【請求項１０】
前記吸い取り紙がインク吸収材を含む、請求項９に記載のマーカー。
【請求項１１】
前記孔が前記送り管の周りに配置される、請求項２または８に記載のマーカー。
【請求項１２】
使用中に前記マーカーがどの位置に保持されても、インクが前記送り管から前記吸収体へ流れるように前記孔が前記送り管の周りに均等に配置される、請求項１１に記載のマーカー。
【請求項１３】
前記孔が前記送り管に沿って列に配列される、請求項２または８に記載のマーカー。
【請求項１４】
それぞれの列がさまざまな大きさの孔を有する、請求項１３に記載のマーカー。
【請求項１５】
それぞれの列において前記孔間の間隔が異なる、請求項１３に記載のマーカー。
【請求項１６】
前記リザーバの近位にある孔が前記リザーバの遠位にある孔より小さい、請求項１４に記載のマーカー。
【請求項１７】
前記送り管の内径が０．５〜５ｍｍの間である、請求項２または８に記載のマーカー。
【請求項１８】
前記内径が１〜３ｍｍの間である、請求項１７に記載のマーカー。
【請求項１９】
より小さい孔の直径が０．５〜１．５ｍｍであり、より大きい孔の直径が１〜２ｍｍである、請求項１６に記載のマーカー。
【請求項２０】
前記間隔が前記リザーバに最も近位の孔間の約１０ｍｍから前記リザーバに最も遠位の孔間の約５ｍｍへと徐々に減少する、請求項１５に記載のマーカー。
【請求項２１】
請求項９に記載のマーカーとリフィルステムを含むインクリフィラーとを含むキットであって、前記ステムおよびリフィル機構が両者間で堅く係合するように構成される、キット。
【請求項２２】
ペン芯と前記本体の上部の間に間隙をさらに含み、それを通って、前記マーカーの詰め替えの間、排ガスが前記マーカーから漏出することができる、請求項９に記載のマーカー。
【請求項２３】
リザーバとリフィル機構とを含むリフィル容器であって、前記機構がエンドキャップおよびエラストマークラウンを含み、
前記クラウンが上に複数のフィンガが取り付けられた本質的に平坦なシールを含み、
前記容器が充填されていないときに前記エンドキャップの底面開口部に対して前記シールを固定できるように、前記フィンガが前記エンドキャップの内部ルーフを圧迫し、
前記容器が詰め替えられるときに、前記クラウンが前記平坦なシール部を前記内部ルーフの方へ上げ、インクが前記シールの周りに、および前記フィンガの間に流れ、続いて前記リザーバの中へ流れるようにする、
リフィル容器。
【請求項２４】
前記容器が請求項９に記載のマーカーである、請求項２３に記載のリフィル容器。
【請求項２５】
前記本体内にエアーバッファチャンバをさらに含み、前記チャンバが前記溝に接続される、請求項６に記載のマーカー。
【請求項２６】
前記通気チューブおよび前記吸収体の間に間隙がある、請求項３または４に記載のマーカー。
【発明の詳細な説明】
【技術分野】
【０００１】
本発明は、マーカー液の流れ、保存、および／または分配を向上させるためのパーツを内部に有するマーカーのような筆記用具に関する。
【背景技術】
【０００２】
ペン、塗装用はけ、プリンターなどのマーカーが表面上に記録可能な跡を残すために使用される。通常、記録可能な跡は、塗料、インクなどのマーカー液を表面上に塗布することによって残される。
【０００３】
従来の黒板用チョークは汚くなり、ホワイトボード用ペンが徐々にチョークに取って代わってきた。しかしながら、インクがマーカーで使用されるとき、インクの流出に関してしばしば問題がある。そのような問題は、マーカーからの均一でないインクの流出または漏出によって表される場合がある。さらに、マーカーのインクが（しばしばすぐに）切れるとき、マーカー全体を捨てなければならない。
【０００４】
市販の詰め替え可能なホワイトボード用ペンに関して、通常、ペンのケーシングの内部に、ゴム袋、管、および１枚のフェルトが備わっている。使用にあたって、ペンのケーシングの上部がまず取り外され、その後ペン先がインクに浸され、次に管の中の空気を外に出すように押し付け、その後解除する。それによって管の中にインクが引き入れられ、インクは管を通って保存のために吸収フェルトにこぼされる。このようにして、ペンが再利用できないという問題は解決したが、ペンの中にインクを引き入れるプロセスは正確にコントロールできない。インクがペンに引き入れられた後、管に残ったインクはペン先を通じて書き込みボード上に漏れる可能性がある。それはペンの使用の不便さを引き起こし、さらにはペンを使用できなくする。さらにはインクを引き入れるために管を取り出し、その後管をペンに再び取り付けるプロセスの間、使用者の手を汚す可能性があり、またペンの使用に不便さをもたらす。さらに、不十分な密閉効果のため、ペン内部のインクは揮発しやすく、無駄を引き起こす。さらに、使用者はペンの中の残っているインクの量を容易に確認することができない。
【発明の概要】
【発明が解決しようとする課題】
【０００５】
マーカーのようなマーキング液カートリッジ内でのインクの保存、流れ、および分配を向上させる必要性がある。本明細書で開示される実施形態はこの必要性に取り組む。
【課題を解決するための手段】
【０００６】
本発明の一態様によれば、マーカー液吸収体、マーカー液リザーバ、およびリザーバと吸収体を流体結合する送り管を含む本体と、吸収体から本体の外側へ延びるマーキング芯とを含むマーカーが提供される。
【０００７】
別の態様によれば、マーカー液吸収体、マーカー液リザーバ、吸収体からリザーバへ延びる通気チューブを含む本体と、吸収体から本体の外側へ延びるマーキング芯とを含むマーカーが提供される。
【０００８】
マーカーは、吸収体およびリザーバの間のチューブホルダーであって、その中でリザーバから吸収体まで延びる、孔を有するチューブホルダーと、チューブホルダーの孔からリザーバ内に吊り下げられた通気チューブとをさらに含んでもよい。
【０００９】
別の態様によれば、マーカー液吸収体、前記吸収体と流体結合されたマーカー液リザーバ、およびリザーバと流体結合されたリフィル機構を含む本体と、吸収体から本体の外側へ延びるマーキング芯とを含むマーカーが提供される。
【００１０】
いくつかの実施形態では、マーキング芯および本体の間に、本体および本体の外側の間を空気が通過できるようにする溝がある。
【００１１】
マーカーは、リザーバと前記吸収体を流体結合する送り管をさらに含んでもよい。
【００１２】
送り管は、送り管に沿って複数の孔を含んでもよい。
【００１３】
マーカーは、マーカー液リザーバの詰め替えを可能にするリフィル機構であって、リフィル機構を介してマーカーを漏出なくきれいに詰め替えられるように構成された吸い取り紙を含むリフィル機構をさらに含んでもよい。
【００１４】
吸い取り紙がインク吸収材を含んでもよい。
【００１５】
孔が送り管の周りに配置されてもよく、任意で孔は送り管の周りに均等に配置され、それによって使用中にマーカーがどの位置に固定されても、インクは送り管から吸収体へ流れることができる。
【００１６】
孔は送り管に沿って列で配列されてもよい。
【００１７】
それぞれの列は、さまざまな大きさの孔を有してもよい。
【００１８】
それぞれの列において孔間の間隔は異なってもよい。
【００１９】
好ましくは、リザーバの近位にある孔はリザーバの遠位にある孔より小さい。
【００２０】
いくつかの実施形態では、送り管の内径は０．５〜５ｍｍの間であり、好ましくは１〜３ｍｍの間である。より小さい孔の直径は０．５〜１．５ｍｍであってもよく、より大きい孔の直径は１〜２ｍｍであってもよい。
【００２１】
間隔は、リザーバに最も近位の孔間の約１０ｍｍからリザーバに最も遠位の孔間の約５ｍｍへと徐々に減少してもよい。
【００２２】
別の態様によれば、マーカーとリフィルステムを含むインクリフィラーとを含むキットであって、ステムおよびリフィル機構が両者間で堅く係合するように構成される、キットが提供される。
【００２３】
いくつかの実施形態では、マーカーはペン芯と本体の上部の間に間隙をさらに含み、それを通って、マーカーの詰め替えの間、排ガスがマーカーから漏出することができる。
【００２４】
さらに別の態様によれば、リザーバとリフィル機構とを含むリフィル容器が提供され、リフィル機構はエンドキャップおよびエラストマークラウンを含み、エラストマークラウンは上に複数のフィンガが取り付けられた本質的に平坦なシールを含み、容器が充填されていないときにエンドキャップの底面開口部に対してシールを固定できるように、フィンガはエンドキャップの内部ルーフを圧迫し、容器が詰め替えられるときに、クラウンは平坦なシール部を内部ルーフの方へ上げ、インクがシールの周りに、およびフィンガの間に流れ、続いてリザーバの中へ流れるようにする。
【００２５】
容器は前述のマーカーの１つであってもよい。
【００２６】
マーカーは本体内にエアーバッファチャンバをさらに含んでもよく、チャンバは溝に接続される。
【００２７】
いくつかの実施形態では、通気チューブおよび吸収体の間に間隙がある。
【００２８】
本発明のより良い理解のために、またどのように実行し得るかを示すために、単なる例として添付の図面を参照する。
【００２９】
図面の詳細に関して、示される詳細は例であり、本発明の好ましい実施形態の例示のみを目的とし、本発明の原理および概念的見地の最も有用で理解しやすい説明であると考えられるものを提供するために示されることが強調される。これに関して、本発明の基本的な理解に必要であるより詳細に本発明の構造的詳細を示そうとはしていない。図面を用いた説明は、本発明のいくつかの形態が実際にはどのように具体化され得るかを当業者に明らかにする。
【図面の簡単な説明】
【００３０】
【図１ａ】断面分解図においてインクリザーバおよびそのリザーバに接続された送り管を有する１つのマーカーペンの実施形態を示す。送り管はマーカー内およびマーカーの外側へインクが均一に分配および流れるように設計されている。
【図１ｂ】ある適切な送り管の縦断面図を示す。
【図１ｃ】別の適切な送り管の縦断面図を示す。
【図１ｄ】さらに別の適切な送り管の縦断面図を示す。
【図１ｅ】静止位置の図１ａに示すマーカー内のリフィル機構の断面図を示す。
【図１ｆ】リフィル位置の同じ機構を示す。
【図２ａ】インクリザーバの中に延びる通気チューブを有する別のマーカーペンの実施形態の分解斜視図を示す。
【図２ｂ】図２ａに示すマーカーの実施形態のパーツの分解斜視図を示す。
【図２ｃ】図２ａに示すインクリザーバの斜視図を示す。
【図２ｄ】図２ｃに示すインクリザーバ内の通気チューブホルダーの斜視図を示す。
【図２ｅ】第２のマーカーペンの実施形態の断面図を示す。
【図３ａ】別のマーカーペンの実施形態を示す。
【図３ｂ】別のマーカーペンの実施形態を示す。
【図３ｃ】別のマーカーペンの実施形態を示す。
【図３ｄ】別のマーカーペンの実施形態を示す。
【図３ｅ】別のマーカーペンの実施形態を示す。
【発明を実施するための形態】
【００３１】
本明細書に記載の実施形態は、改良されたマーカーまたはマーキング液を充填できる他のマーキング用具、例えばペン、インクジェットカートリッジ、トナーカートリッジなどの提供に関し、その選択物は例示のみの目的で下記の実施形態に記載する。
【００３２】
このマーキング用具は、下記で説明するように、リザーバならびに／または吸収体内および／もしくはマーカー液リザーバ内のチューブ／管により向上した保存および／または用具からのマーカー液の均一な流れを有することを特徴とする。それらは優れた気密性を有し、インクはわずかな揮発性を有する。
【００３３】
ある実施形態は、本体内にマーカー液吸収体、少なくとも１つの送り管、およびマーカー液リザーバを含む本体と、吸収体内部から本体外部へ延びるマーキング芯とを含み、送り管がリザーバから吸収体内部へ延びリザーバと吸収体を流体結合し、送り管が送り管に沿った複数の孔を含む、マーカーである。
【００３４】
送り管はインクをスムーズに吸収体に浸透させる。
【００３５】
ここで、本体１１０およびペン芯（書き込みヘッド）１４０を有するマーカーの実施形態１００を示す図１ａを参照する。本体１１０は下部１１２および上部１１４を有する。
【００３６】
マーカー１００は、孔１２２および１２４を有する送り管１２０と、リザーバ１３０とを含むいくつかの特別な特徴を有する。
【００３７】
送り管１２０はインク吸収材を含む吸収体１２６に埋め込まれる。送り管１２０は内部が空洞で、好ましくは下部端１２１ａで開き、上部端１２１ｂで閉じている。送り管１２０には少なくとも２つの孔があり、好ましくは送り管１２０の周りに均等に配置され、それによって使用中にマーカーがどの位置に保持されても、インクは送り管から吸収体１２６へ流れることができる。図１ｂ、１ｃは、孔１２２’、１２２’’のそれぞれの配置の例とともに、長さ方向に半分に切った送り管１２０’、１２０’’のそれぞれの断面を示している。送り管１２０’’では、孔１２２’’間の角度は、送り管１２０’’の中心に対して約１２０°である。図１ｄは、斜視図において下記でさらに説明するように異なる大きさの孔１２２’’’および１２４’’’を有する別の送り管の実施形態の半分を示している。また、孔１２２’’’および１２４’’’は、送り管１２０’’’の長さに沿って位置は異なるが、孔間の角度は送り管１２０’’の中心に対して約１８０°である。
【００３８】
好ましくは、送り管１２０は少なくとも２列の孔１２２および１２４を含み、さらに好ましくは上述のように均等に配される。図１は、ある列１２３を示している。いくつかの好ましい実施形態では、各列１２３に沿った孔は異なる大きさを有し、孔間の間隔は異なる。いくつかの好ましい実施形態では、下部端１２１ａに近位の孔１２２は上部端１２１ｂに近位の孔１２４より小さい。送り管の内径は好ましくは０．５〜５ｍｍであり、より好ましくは１〜３ｍｍの間である。より小さい孔１２２は好ましくは０．５〜１．５ｍｍであり、より大きい孔１２４は１〜２ｍｍである。間隔は、下部端１２１ａに最も近い孔１２２と二番目に近い孔１２２の間の約１０ｍｍ（±５ｍｍ）から２つの上部の孔１２４間の約５ｍｍ（±４ｍｍ）へと徐々に減少してもよい。寸法はインクの流れおよび吸収体１２６でのインクの分配に影響を及ぼすさまざまな要因、例えば選択されたインクの粘度、送り管の内径および長さの相乗効果、孔の大きさおよび孔の間隔に従って選択されてもよい。
【００３９】
送り管１２０は、本体１１０の下部端１１２に位置したリザーバ１３０によってインクが送り込まれる。リザーバ１３０は、そのルーフから内部に延びる逆ニップル（図示せず）を有してもよく、例えばその中に送り管１２０の下部１２１ａが堅く挿入されてもよい。
【００４０】
マーカー１００が、静止時に位置付けられる直立状態に位置付けられるとき、インクは送り管１２０に入ることができないため、この位置はインクを浪費しないことに役立ち得る。この位置で、しっかりと適合したキャップ１５０を本体１１０の上部１１４にかぶせることによって、インクはさらに保護されてもよい。さらに、本体１１０は、リザーバ１３０の一部からなる透明窓１３２を有し、それによって使用者はリザーバ１３０内でのインクの量を確認することができ（マーカー１００が直立のとき、最も容易に）、適時にマーカーを詰め替えすることができる。
【００４１】
他の実施形態では（図示せず）、リザーバ全体が見え、リザーバの壁が透明であるように、本体がリザーバに取り付けられる。
【００４２】
図１ｅを参照すると、リフィル機構１６０の例が拡大図で示されている。リフィル機構１６０はリザーバ１３０に挿入される。
【００４３】
リフィル機構１６０はピストン１６６および弾性手段、ばね１６８を含む。図１ｅのように機構が静止位置にあるとき、ピストン１６６はばね１６８によって下方向に促され、マーカー１００からインクが漏出するのを防ぐのに役立つ。図１ｆに示すように、窓１３２がマーカー１００が詰め替えを必要としていることを示すとき、インクリフィラー（図示せず）は機構１６０を介してリザーバ１３０を詰め替えするのに用いられてもよい。例えば、インクリフィラーはステム（図示せず）を含む分配機構を含んでもよい。詰め替えするために、ステムがピストン１６６を押し、ピストンを上方へ移動させ、図示するようにインクをリザーバに入れる。
【００４４】
一態様によれば、インクリフィラーおよびマーカー１００、または複数のリフィラーおよびマーカー１００を含むキットが提供され、例えば、各リフィラーは特定の色を有するインクを含んでもよい。インクリフィラーのステムおよびリフィル機構１６０は、ステムによって互いに堅く適合しマーカー液の漏出を最小限に抑えるのを助けるような大きさおよび形であってもよい。
【００４５】
図１ａに示す例となる機構１６０はリフィルキャップ１６１をさらに含み、図１ａに示すようにリザーバ１３０内でぴったりと適合する。Ｔ形ピストン１６８（第１のエンドキャップ１６７の内径よりわずかに小さい、大きい幅および第１のエンドキャップ１６７の底面の孔よりわずかに小さい、小さい幅を有する）および次にばね１６８は第１のエンドキャップ１６７の中に入れられ、続いてリフィルキャップ１６１に係合される。Ｏリングなどの密閉手段１６３は、第１のエンドキャップ１６７の下に配置され、インクの詰め替えの間、インクの漏出を減らす。Ｏリングの中心の孔は、十分に密閉するため、ピストン１６８のＴの幅の狭い部分をぴったりと収容する大きさであってもよい。孔および狭い部分は、充填機構が静止時に十分な密閉を可能にするために、ともに円錐台形であってもよい。吸い取り紙１６２を含む第２のエンドキャップは、リフィルキャップ１６１と係合し、リフィル機構１６０を完成する。吸い取り紙１６２は、好ましくはスポンジなどのインク吸収材で作製され、詰め替え中にインク漏出をさらに防ぎ、リフィルピストン１６８をきれいに保つのを助けるような、形、大きさ、および配置にされる。いくつかの実施形態では、吸い取り紙は密閉手段の上に配置されるため、充填ステムは密閉手段に接触する。いくつかの実施形態では、機構１６０は吸い取り紙を取り替えられるように構成され、他の実施形態では、インクが各充填間で本質的に蒸発し、次の充填の前に乾燥するので、同じ吸い取り紙を複数の充填に使用することができる。
【００４６】
他のリフィル機構が公知であり、これらの実施形態は好ましくは吸い取り紙を同様の位置に含み、インクの乱雑な液だれを最小限にし、マーカーの詰め替えの間インクのないリフィル機構を保つのを助けるという特徴がある。
【００４７】
いくつかの実施形態では（図示せず）、マーカーは、マーカーの下部に適合する保護キャップをさらに含み、リフィル機構を覆う。そのようなキャップは、マーカーの不注意による漏出、またはマーカーが詰め替えされていないときのリフィル機構へのダメージに対して保護することができ、マーカーを詰め替えするときには取り外すことができる。
【００４８】
充填が必要でないときに、前記リザーバ１３０内のインクが確実に逆行しないように、前記密閉リング１６３上の液体充填チャネルが密閉される。充填プロセスの間、インクボトルの充填管を前記密閉リング１６３上の液体充填チャネルの中に挿入することができ、任意でさらにリザーバ１３０の中に挿入してもよい。次に、インクはリザーバ１３０に引き入れられ、リザーバ１３０内のインクは管１２０に入り、最終的には孔１２２、１２４を通って吸収体１２６に流れる。このようにして、芯１４０は常に湿っているため、滑らかなライティングを提供する。充填の後、充填管は取り出され、密閉リング１６３は自動的に閉じる。
【００４９】
図１ａに戻って参照すると、いくつかの実施形態では、ペン芯１４０と本体１１０の上部１１４の間に間隙があり、それを通って排ガスがインク詰め替えの間にマーカー１００から漏出することができる。
【００５０】
液体の特性およびマーカー（その中のさまざまなパーツ）の寸法によって、マーカーをいくらか振ることは、マーカー内の泡をばらばらにし、内部のマーカー液を対流させ、マーカー内の液体の分配および流れを向上させるのに有益であり得る。
【００５１】
概して、本発明によれば、液体リザーバはさまざまな大きさを有してもよく、いくつかの実施形態では、リザーバが図１ａに示すマーカーの場合よりマーカー内部の空間がやや大きい部分を占め、吸収材はより短い。そのようなマーカーはより大きいリザーバのために詰め替えの頻度が少なくてすむ。しかしながら、吸収材にマーカー液を均等に分配するための解決策の必要性が少ない一方で、より大きいリフィルが、吸収材内部により多くの空気の蓄積を伴う可能性があり、マーカー液の流れや分配を妨げる可能性がある。
【００５２】
それゆえ、図２ａ〜２ｅに示すように、別のマーカーの実施形態２００が提供され、それはリザーバ２３０内に通気チューブ２８０を含む。通気チューブの役割は、マーカー２００を使用するとき、例えばマーカーを用いてボードに書くときや芯２４０／吸収体２２６をインクで充填するときに、吸収体２２６に閉じ込められた空気をリザーバ２３０に移動させ、リザーバ２３０から吸収体２２６へインクを移動させる速度を増すことである。通気チューブ２８０は、吸収体２２６内部とリザーバ２３０内部の間の圧力のバランスをとることを可能にし、液体および空気がスムーズに流れることを可能にする。図２ｅに示すように、通気チューブ２８０は吸収体２２６に直接接続されておらず、好ましくは、吸収体２２６と通気チューブ２８０の間に小さい間隙２８１があることに留意する。
【００５３】
下記の説明は構造およびマーカー２００がどのように動作するかをさらに明確にする。
【００５４】
特に図２ａを参照すると、マーカー２００は特に長い芯２４０を有し、その芯２４０はマーカー２００の外側からリザーバ２３０内の芯ホルダー２３６に延び、それは図２ｄにも示される。芯ホルダー２３６はその中を通る孔２３５を有し、その孔を通ってマーカー液はリザーバ２３０から直接、芯２４０へ運ぶことができる。芯２４０は通常、マーカー液をいくらか吸収し、余分なマーカー液は吸収体２２６によって吸収される。
【００５５】
図２ｂに示すように、マーカー２００は３つのチューブ２８０を含む。チューブ２８０はぴったりとチューブホルダー２３７に挿入され、チューブホルダーはその中を通ってリザーバ２３０から吸収体２２６まで延びる孔２３４を有する。さらに図２ｄおよび２ｅを参照すると、リザーバ２３０内の孔２３４、２３５の位置が示されている。チューブ２８０がチューブホルダー２３７に吊り下げられ、それによって空気が吸収体２２６からリザーバ２３０に自由に移動できることに留意する。
【００５６】
マーカーにマーカー液が充填されるとき、空気が吸収体２２６に入る可能性がある。マーカー２００を逆さまに固定すると、空気のいくらかは吸収体から漏出するが、マーカー２００の使用中にさらなる空気が吸収体２２６にとどまる可能性がある。そのため、空気が漏出できマーカー２００が固定されるように、好ましくは芯ホルダー２３６の周りに均等に複数のチューブ２８０がある。
【００５７】
第１の記載された実施形態１００のように、マーカー２００は、リフィルキャップ２６１、第１のエンドキャップ２６７（その中を通る孔を有する、図示せず）内にピストン２６６およびばね２６８を含むリフィル機構２６０を含み、その第１のエンドキャップ２６７はリフィルキャップ２６１と係合する。Ｏリング（図示せず）などの密閉手段は第１のエンドキャップ２６７の下に配置される。吸い取り紙２６２を含む第２のエンドキャップ２６４はリフィルキャップ２６１と係合し、リフィル機構２６０を完成させる。また吸い取り紙２６２は、好ましくはスポンジなどのインク吸収材で作製され、詰め替えの間、インクの漏出をさらに防ぐように構成される。
【００５８】
いくつかの実施形態では、通気チューブ用のホルダーを有するリザーバと、送り管とを両方含んでもよく、芯が第１の実施形態のものより短い。
【００５９】
図３ａは、より短い芯３４０を有し、通気チューブ３８０と送り管３２０の両方を含むさらに別のマーカーの実施形態３００を示し、さらにより大きい孔３２４およびより小さい孔３２２を有する。第１の実施形態１００のように、マーカー３００は、リザーバ３３０と、空気の通過（詰め替えの間、空気はマーカー３００から押し出され、書いている間、空気がマーカー３００に入る）を可能にする、本体３１６および芯３４０の間の溝３７０とを有する。またマーカー３００はリフィル機構３６０も含む。しかしながら、リフィル機構３６０はばねを含まないが、弾性手段３６８は図３ｂでエンドキャップ３６７内に示されるクラウンであり、図３ｃ〜３ｅではクラウンのみが示される。図３ｃは斜視図であり、３ｄは上面図であり、３ｅは側面図である。クラウン３６８は上に複数のフィンガ３６９を有する本質的に平坦なシールである。フィンガ３６９はエンドキャップ３６７の内部ルーフとぴったり重なって、エンドキャップ３６７の底面開口部に対して平坦なシール部を固定し、マーカー３００が充填されていないときにリフィル機構３６０を通じてインクが漏出するのを防ぐ。マーカーが充填されるとき、射出力は平坦なシール部を押し上げるのに十分であり、インクはシール部の周り、フィンガ間、続いてリザーバ３３０に流れることができる。
【００６０】
クラウン構造は、軟質シリコンゴムなどのエラストマー製であってもよく、いくつかのインクは腐食のために状態を悪化させる塩化物イオンなどの物質を含んでいるため、好ましくはインクに対して不活性である。
【００６１】
その実施形態は、書いている間、空気がマーカーの中に入り、マーカー内部にサブ圧力
が生成されることを防ぎ、同時に詰め替えの間に余分な空気を漏出させる溝３７０に接続されるエアーバッファチャンバ３１８をさらに含む。
【００６２】
また、吸収体３２６および通気チューブ３８０の間に小さい間隙３８１があることに留意する。その設計は、通気チューブを、リザーバ３３０の下部にも、本体３１６の上部にも直接接続させないで、浮かせることが意図されている。間隙３８１は吸収体３２６とチューブ３８０との間の圧力の平衡化を可能にするのに役立つ。
【００６３】
いくつかの実施形態はリフィル機構を含まず、その場合、リザーバは下部で密閉されてもよいことが強調される。例えば、いくつかの実施形態では、送り管および同様のリザーバはあるが、リフィル機構はない。
【００６４】
本発明の範囲は、添付の請求項によって規定され、上述のさまざまな特徴の組み合わせおよび部分的組み合わせの両方ならびにその変形および修正を含む。
【００６５】
請求項において、「含む」の語およびその変形等は、列挙される要素が含まれるが、通常、他の要素を排除しないことを意味する。
【図１ａ】
2017505247.tif 000003
【図１ｂ】
2017505247.tif 000004
【図１ｃ】
2017505247.tif 000005
【図１ｄ】
2017505247.tif 000006
【図１ｅ】
2017505247.tif 000007
【図１ｆ】
2017505247.tif 000008
【図２ａ】
2017505247.tif 000009
【図２ｂ】
2017505247.tif 000010
【図２ｃ】
2017505247.tif 000011
【図２ｄ】
2017505247.tif 000012
【図２ｅ】
2017505247.tif 000013
【図３ａ】
2017505247.tif 000014
【図３ｂ】
2017505247.tif 000015
【図３ｃ】
2017505247.tif 000016
【図３ｄ】
2017505247.tif 000017
【図３ｅ】
2017505247.tif 000018
【国際調査報告】
2017505247.tif 000019
2017505247.tif 000020
2017505247.tif 000021